(57)【要約】【課題】少なくとも一つの高負荷電気接続部と少なくとも一つの低負荷電気接続部を組み立てるための電気コネクタであって、低負荷電気接続部は、時間的に高負荷電気接続部の接合後に初めて接合させることが可能であり、高負荷電気接続部は、時間的に低負荷電気接続部の分離後に初めて分離させることが可能である電気コネクタを記載している。【解決手段】このコネクタは、組み合わせることが可能な二つの挿入式コネクタ部分から構成され、これらの挿入式コネクタ部分は、それぞれ高負荷接点部品用の高負荷筐体部分と低負荷接点部品用の低負荷筐体部分を有する。【選択図】  図１
2008027908.tif 000002
【特許請求の範囲】
【請求項１】
少なくとも一つの高負荷電気接続部と少なくとも一つの低負荷電気接続部を組み立てるための電気コネクタであって、低負荷電気接続部は、時間的に高負荷電気接続部の接合後に初めて接合させることが可能であり、高負荷電気接続部は、時間的に低負荷電気接続部の分離後に初めて分離させることが可能である電気コネクタにおいて、
このコネクタは、組み合わせることが可能な二つの挿入式コネクタ部分（１，２）から構成され、これらの挿入式コネクタ部分が、それぞれ高負荷接点部品（５ａ，５ｂ）用の高負荷筐体部分（３ａ，３ｂ）と低負荷接点部品（６ａ，６ｂ）用の低負荷筐体部分（４ａ，４ｂ）を有することを特徴とする電気コネクタ。
【請求項２】
二つの挿入式コネクタ部分（１，２）の接点部品（５ａ，５ｂ，６ａ，６ｂ）が、互いにほぼ平行に配置されるとともに、軸方向に対して互いに接続されることを特徴とする請求項１に記載の電気コネクタ。
【請求項３】
低負荷筐体部分（４ｂ）が、高負荷筐体部分（３ｂ）と一体的に構成されていることを特徴とする請求項１に記載の電気コネクタ。
【請求項４】
少なくとも一つの低負荷筐体部分（４ａ）が、移動可能な形で高負荷筐体部分（３ａ）と接続されていることを特徴とする請求項１に記載の電気コネクタ。
【請求項５】
挿入式コネクタ部分（１，２）が、ロック手段（７）を用いて、相反する形でロックすることが可能であることを特徴とする請求項１に記載の電気コネクタ。
【請求項６】
ロック手段（７）が、少なくとも一つの回転可能なロック用ボルト（８）を有することを特徴とする請求項５に記載の電気コネクタ。
【請求項７】
ロック用ボルト（８）が、ねじ止めによる接続部を形成するためにねじ山を備えていることを特徴とする請求項６に記載の電気コネクタ。
【請求項８】
ロック手段（７）は、ロックされていない位置ではスライダー９をブロックし、このブロックされた位置で、スライダーは、低負荷筐体部分（４ａ，４ｂ）を互いに接近させることを防止し、そのため低負荷電気接続部の組み立てを防止していることを特徴とする請求項５に記載の電気コネクタ。
【請求項９】
ロック手段（７）は、ロックされている位置ではスライダー９を解放して、スライダー（９）が低負荷筐体部分（４ａ，４ｂ）を互いに接近させて、それにより低負荷電気接続部の組み立てを可能とする位置にスライダー（９）を持って行くことができることを特徴とする請求項５又は８に記載の電気コネクタ。
【請求項１０】
スライダー（９）が低負荷筐体部分（４ａ，４ｂ）を互いに接近させて、それにより低負荷電気接続部の組み立てを可能とする位置において、スライダー（９）は、ロック手段（７）にアクセスすることを防止していることを特徴とする請求項９に記載の電気コネクタ。
【請求項１１】
二つの挿入式コネクタ部分（１，２）の高負荷電気接続部と低負荷電気接続部に関する接続配線（１０ａ，１０ｂ）の引き出し方向が、ほぼ平行でかつ直線的に延びていることを特徴とする請求項１に記載の電気コネクタ。
【請求項１２】
当該の低負荷電気接続部が、リレー又は電子式負荷開閉器を介して、高負荷電気接続部を電気的に作動させるか、或いは切り離すために作用することを特徴とする請求項１に記載の電気コネクタ。
【発明の詳細な説明】
【技術分野】
【０００１】
この発明は、少なくとも一つの高負荷電気接続部と少なくとも一つの低負荷電気接続部を組み立てるための電気コネクタであって、低負荷電気接続部は、時間的に高負荷電気接続部の接合後に初めて接合させることが可能であり、高負荷電気接続部は、時間的に低負荷電気接続部の分離後に初めて分離させることが可能である電気コネクタに関する。
【背景技術】
【０００２】
特許文献１により、電力供給網用遮断器として構成された電気コネクタが周知である。この電気コネクタは、パワー用端子と嵌合検知用端子を備えている。レバーによって、先ずはパワー用端子を互いに接続し、時間的にその後嵌合検知用端子を接続することが可能である。嵌合検知用端子によって、最も簡単な場合リレーから構成される電力供給網用回路を駆動して、その回路が電力供給網用端子への電気接続を作動させるものである。こうすることによって、パワー用端子が完全に相互接続された場合に初めてパワー用端子を介した電流の流れが行われることと、電流が流れていない状態でのみパワー用端子を互いに切り離すことが可能であることとが実現される。
【０００３】
この周知のコネクタは、前述した単極構成では一つの電力接続部だけを組み立てることが可能なレバー式スイッチとして構成されている。複数の電力接続部を組み立てる場合には、それに対応して複数のレバー式スイッチを配備するか、或いは多極スイッチの変化形態を新たに構成しなければならない。スイッチの新たな変化形態の構成は、比較的複雑なスイッチ構造のために相当負担のかかるものとなる。
【０００４】
この場合、高負荷端子用と低負荷端子用の両方の電気導線が電気コネクタに対して平行に配線され、そのためコネクタが導線の終点に配置されていることも欠点である。それにより、敷設するケーブル線条と電気コネクタを簡単に繋ぎ合わせることは、ほぼ不可能である。
【特許文献１】ドイツ特許公開第１０２００４０５４３６０号明細書
【特許文献２】ドイツ特許公開第１０２００４０１５３４５号明細書
【発明の開示】
【発明が解決しようとする課題】
【０００５】
以上のことから、この発明の課題は、電流又は電圧が加わっていない場合に高負荷電気接続部を組み合わせることを可能にするとともに、前記の欠点を防止しつつ簡単で安価に製造し、取り付けることが可能な電気コネクタを提供することである。
【課題を解決するための手段】
【０００６】
この課題は、この発明にもとづき、コネクタが、組み合わせることが可能な二つの挿入式コネクタ部分から構成され、それらの挿入式コネクタ部分が、それぞれ高負荷接点部品用の高負荷筐体部分と低負荷接点部品用の低負荷筐体部分とを有することによって解決される。
【０００７】
この発明による挿入式コネクタ部分は、簡単な構造を特徴とし、それぞれ電気接点部品を備えた高負荷筐体部分を有する。有利には、各高負荷筐体部分の内部空間は、複数の区画に分割されており、それらの区画内には、それぞれ高負荷用電気接点部品が配置されている。高負荷接点部品を区画内に配置することは、高負荷接点部品を特に良好に互いに絶縁する役割を果たし、挿入式コネクタ部分により接続される接続配線が、高い電圧を通す場合に特に有利である。大電流の用途には、それに対応して横断面の寸法を十分に大きくした高負荷接点部品を配備するものとする。
【０００８】
少なくとも一つの低負荷電気接続部を組み立てるためには、各挿入式コネクタ部分に、少なくとも一つの低負荷接点部品を有する少なくとも一つの低負荷筐体部分を配備する。この場合、低負荷筐体部分は、それに対応する高負荷筐体部分と固定的に又は移動可能な形で接続するか、或いは例えば、形状を整合させた区画の形又は高負荷筐体部分の構成部品とすることもできる。
【０００９】
低負荷電気接続部は、リレー又は電子式負荷開閉器により構成することができる電力制御回路を用いて、高負荷電気接続部の端子への電気接続を形成するか、或いは切り離すものである。この場合、高負荷電気接続部は、二つの挿入式コネクタ部分の低負荷筐体部分内の低負荷接点部品が互いに接続された場合に初めて組み立てられ、その場合これらの低負荷筐体部分は、低負荷電気接続部が高負荷筐体を完全に組み合わせた後に初めて組み合わされる形で高負荷筐体部分に配置されている。
【００１０】
こうすることによって、有利には、挿入式コネクタ部分を分離する場合に、危険な高電圧が高負荷接点部品に存在すること、或いは挿入式コネクタ部分の接続が未だ不完全な場合でも、大きな電流の流れが始動可能となることが防止される。
【００１１】
電気コネクタの特に簡単な実施形態では、低負荷筐体部分は、それぞれ高負荷筐体部分と固く接続されている、詳しく言うと、高負荷電気接続部が完全な、或いは少なくともほぼ完全な状態になった場合に初めて低負荷電気接続部が組み立てられる。
【００１２】
以下で図面にもとづき詳しく説明する有利な実施構成では、少なくとも一つの低負荷筐体部分は、それに対応する高負荷筐体部分に対して移動可能な形に配置されており、その結果低負荷電気接続部は、高負荷電気接続部に関係無く手動で組み立てることが可能である。挿入式コネクタ部分と連結されたスライダーは、高負荷電気接続部が完全な状態にならないうちに、かつ両方の高負荷筐体部分がロック手段によって互いに固定されないうちに、低負荷電気接続部が組み立て可能となることを防止するものである。この場合、スライダーは、有利には同時に、低負荷筐体部分が互いに接続されている間にロック手段が解除可能となることを防止する。従って、高負荷筐体部分とその中に配置された高負荷接点は、それらの導線が電流を流さないか、或いは電圧を加えない状態に切り換えられている場合に初めて互いに切り離すことが可能となる。
【発明を実施するための最良の形態】
【００１３】
図１と２は、二つの挿入式コネクタ部分１，２を図示しており、それらの挿入式コネクタ部分は、それぞれ高負荷筐体部分３ａ，３ｂと低負荷筐体部分４ａ，４ｂを有する。低負荷筐体部分４ａは、例えば、蟻継のほぞとして構成された直線的なほぞを用いて、挿入方向に移動可能な形で高負荷筐体部分３ａの側壁上に配置される一方、低負荷筐体部分４ｂは、例えば、ノッチ式接続部を用いて、移動できない形で第二の挿入式コネクタ部分２の高負荷筐体部分３ｂ上に固定されている。
【００１４】
全ての筐体部分３ａ，３ｂ，４ａ，４ｂ内には、電気接点部品５ａ，５ｂ，６ａ，６ｂが配置されている。図２では、高負荷筐体部分３ｂ内にブレードターミナル形状の高負荷接点部品５ｂを見ることができ、それに対応して構成されているが、横断面がより小さい接点部品６ｂは、低負荷筐体部分４ｂ内に配置されている。
【００１５】
それに対して、第一の挿入式コネクタ部分１の接点部品５ａ，６ａは、ソケット形状に構成されている。図３は、見易くするために周囲の筐体部分を除いた形で、これらの接点部品５ａ，６ａを図示している。ここに図示した高負荷接点部品５ａの可能な実施形態は、特許文献２に詳しく記載されている。
【００１６】
横断面が比較的大きな高負荷接続配線１０ａ，１０ｂ又は横断面が比較的小さい低負荷接続配線１１ａ，１１ｂは、それぞれ接点部品５ａ，５ｂ，６ａ，６ｂと接続されている。この場合、高負荷接続配線１０ａ，１０ｂは、比較的大きな電流及び／又は電圧用に設計される一方、低負荷接続配線１１ａ，１１ｂは、比較的小さい電流及び電圧を印加するためにのみ配備されている。
【００１７】
低負荷接続配線１１ａ，１１ｂは、図示されていない電気負荷開閉器又はそれと同等の開閉設備と接続されており、その開閉器又は開閉設備は、二つの低負荷筐体部分４ａ，４ｂの低負荷接点部品６ａ，６ｂが組み合わせされている場合、それぞれ高負荷接点部品５ａ，５ｂへの電気接続を形成するか、或いは二つの低負荷筐体部分４ａ，４ｂの低負荷接点部品６ａ，６ｂが組み合わせされていない場合、これらの電気接続を遮断するものである。
【００１８】
電流が流れておらずかつ電圧が加えられていない状態でのみ二つの挿入式コネクタ部分１，２を組み合わせるか、或いは互いに切り離すことができることを保証するために、第一の挿入式コネクタ部分１には、挿入式コネクタ部分１，２の挿入方向と交差した向きに移動させることが可能なスライダー９が配置されている。
【００１９】
図１の図面では、スライダー９は、スライダー９の終端部分１４が高負荷筐体部分３ａの形状整合部１７ａの上に広がっている位置に有り、ねじ山区間を有するロック用ボルト８が、形状整合部の中を貫通している。この形状整合部１７ａ内に軸支されたボルト８は、高負荷筐体部分３ｂの別の形状整合部１７ｂと共に、挿入式コネクタ部分１，２が分離しないように挿入式電気接続部を保持するためのロック手段７を構成する。
【００２０】
図１に図示されているスライダー９の位置では、このロック手段７は、スライダー９の終端部分１４のためにアクセスできない状態となっている。ロック手段７は、スライダー９を低負荷筐体部分４ａの方向にスライドさせることによって解除することができる。図１で明らかにされていないスライダーの第二の位置では、スライダー９の付勢部１２が、低負荷筐体部分４ａに形成された壁面１５の縁１３の下に入り込んでいる。そのため、スライダー９は、低負荷筐体部分４ａが第二の挿入式コネクタ部分２の低負荷筐体部分４ｂの方向にスライド可能となることを防止している。
【００２１】
以上の結果得られる二つの挿入式コネクタ部分１，２を組み合わせる場合の接続フェーズは、図４〜６に図解されている。図４は、挿入式コネクタ部分１，２が未だ接続されていない第一の接続フェーズを図示している。そこでは、スライダー９は、低負荷筐体部分４ａをスライドに関してブロックするとともに、ロック用ボルト８の頭部１６が自由にアクセスできる位置に有る。
【００２２】
図５に図示された第二の接続フェーズでは、二つの挿入式コネクタ部分１，２の高負荷筐体部分３ａ，３ｂは、既にロック用ボルト８を回転させることによって互いに接続されている、特に互いにねじ止めされている。この場合、ボルト頭部１６は、ロックが不完全な場合、形状整合部１７ａから大きく突き出て、スライダー９の動作がブロックされたままとなる。
【００２３】
従って、高負荷電気接続部が完全に組み立てられた場合に初めて、スライダー９は、図６に図示された位置に右方向に持って行くことができ、その位置では、低負荷筐体部分４ａが解放されて、スライドさせることによって低負荷筐体部分４ｂと接続させることが可能となり、それにより再び高負荷電気接続部に電流を流すことが行われる。更に、このスライダー９の位置では、ボルト頭部１６は、スライダー９の終端部分１４によって被われており、そのためロック手段は、操作のためにアクセスできない状態となっている。更に、低負荷筐体部分４ａ，４ｂが互いに接続されている場合、低負荷筐体部分４ａに形成された壁面１５が、スライダー９をブロックして、ロック部をブロックする位置に有る。
【００２４】
二つの挿入式コネクタ部分１，２を解放する手順は、前記と逆の順番に行われる。挿入式コネクタ部分１，２の切り離しは、ロック部を解放した後に初めて可能であり、それには、スライダー９を低負荷筐体部分４ａ，４ｂの方向にスライドさせることが必要である。従って、そのためには、更に、低負荷筐体部分４ａ，４ｂとそれにより組み立てられた低負荷電気接続部を事前に切り離すことが必要であるため、二つの挿入式コネクタ部分１，２の高負荷電気接続部の切り離しは、電流が流れず、電圧が印加されない状態でのみ可能となる。
【図面の簡単な説明】
【００２５】
【図１】第一の挿入式コネクタ部分
【図２】第二の挿入式コネクタ部分
【図３】第一の挿入式コネクタ部分の接点部品
【図４】挿入式コネクタ部分を組み合わせる場合の第一の接続フェーズ
【図５】挿入式コネクタ部分を組み合わせる場合の第二の接続フェーズ
【図６】挿入式コネクタ部分を組み合わせる場合の第三の接続フェーズ
【符号の説明】
【００２６】
１    第一の挿入式コネクタ部分
２    第二の挿入式コネクタ部分
３ａ，３ｂ    高負荷筐体部分
４ａ，４ｂ    低負荷筐体部分
５ａ，５ｂ    高負荷接点部品
６ａ，６ｂ    低負荷接点部品
７    ロック手段
８    ボルト
９    スライダー
１０ａ，１０ｂ    高負荷接続配線
１１ａ，１１ｂ    低負荷接続配線
１２    （スライダーの）付勢部
１３    （低負荷筐体部分４ａの）縁
１４    （スライダーの）終端部分
１５    （低負荷筐体部分４ａの）壁面
１６    （ボルトの）頭部
１７ａ，１７ｂ    形状整合部
【図１】
2008027908.tif 000003
【図２】
2008027908.tif 000004
【図３】
2008027908.tif 000005
【図４】
2008027908.tif 000006
【図５】
2008027908.tif 000007
【図６】
2008027908.tif 000008